【手続補正書】
【提出日】令和3年8月12日(2021.8.12)
【手続補正１】
【補正対象書類名】特許請求の範囲
【補正対象項目名】全文
【補正方法】変更
【補正の内容】
【特許請求の範囲】
【請求項１】
第１端末にコンテンツの送信または、前記第１端末から送信されたコンテンツの受信を行う端末によって実行されるプログラムであって、
前記端末のユーザと、前記第１端末のユーザとを含むトークルームを前記端末の表示領域に表示することと、
前記第１端末から送信された第１コンテンツと、前記端末の通信部によって前記第１端末に送信された第２コンテンツとを前記トークルームに表示することと、
前記第１コンテンツと前記第２コンテンツとを表示する前記トークルームに対する前記端末のユーザによる入力に基づいて、前記第１端末との通話に関する制御を前記端末の制御部によって行うことと、
前記第１端末のユーザの音声に基づく第１情報と、前記端末のユーザの音声に基づく第２情報とを前記第１端末との前記通話に基づき前記制御部によって取得することと、
前記第１情報と前記第２情報とを含む通話情報に関連付けられた第１表示を前記トークルームに表示することと、
前記第１表示に対する前記端末のユーザによる入力に基づいて、前記トークルームとは異なる画面に前記通話情報を表示することとが前記端末によって実行される。
【請求項２】
請求項１に記載のプログラムであって、
前記通話情報が前記画面に表示された後、前記第１表示とは異なる第２表示に対する前記端末のユーザによる入力に基づいて、前記通話情報を前記画面に表示しないことが前記端末によって実行される。
【請求項３】
請求項２に記載のプログラムであって、
前記通話情報が前記画面に表示された後、前記第２表示に対する前記端末のユーザによる入力に基づいて、前記画面から前記トークルームを前記表示領域に表示することにより、前記通話情報を前記画面に表示しないことが前記端末によって実行される。
【請求項４】
請求項１から請求項３のいずれか一項に記載のプログラムであって、
前記第１端末の撮像部によって撮像された第１画像を前記制御部によって取得することと、
前記第１表示に対する前記端末のユーザによる入力に基づいて、前記通話情報と、前記第１画像とを前記表示領域に表示することとが前記端末によって実行される。
【請求項５】
請求項４に記載のプログラムであって、
前記第１画像は、前記通話を行っている間に、前記第１端末の撮像部によって撮像された画像である。
【請求項６】
請求項４または請求項５に記載のプログラムであって、
前記通話に基づく前記端末の位置に関する情報または、前記第１端末の位置に関する情報に基づく第２画像を前記制御部によって取得することと、
前記通話情報と、前記第１画像と、前記第２画像とを前記表示領域に表示することとが前記端末によって実行される。
【請求項７】
請求項１から請求項６のいずれか一項に記載のプログラムであって、
前記通話の時間、および前記通話情報の少なくとも一方に基づいて、前記第１表示の表示態様を前記制御部によって制御することが前記端末によって実行される。
【請求項８】
請求項７に記載のプログラムであって、
前記第１表示は、前記通話を行った前記端末または、前記第１端末の位置に関連する画像である。
【請求項９】
請求項１から請求項８のいずれか一項に記載のプログラムであって、
前記通話情報は、前記第１情報と前記第２情報とに基づき、前記通話の内容が要約された情報である。
【請求項１０】
第１端末にコンテンツの送信または、前記第１端末から送信されたコンテンツの受信を行う端末の情報処理方法であって、
前記端末のユーザと、前記第１端末のユーザとを含むトークルームを前記端末の表示領域に表示することと、
前記第１端末から送信された第１コンテンツと、前記端末の通信部によって前記第１端末に送信された第２コンテンツとを前記トークルームに表示することと、
前記第１コンテンツと前記第２コンテンツとを表示する前記トークルームに対する前記端末のユーザによる入力に基づいて、前記第１端末との通話に関する制御を前記端末の制御部によって行うことと、
前記第１端末のユーザの音声に基づく第１情報と、前記端末のユーザの音声に基づく第２情報とを前記第１端末との前記通話に基づき前記制御部によって取得することと、
前記第１情報と前記第２情報とを含む通話情報に関連付けられた第１表示を前記トークルームに表示することと、
前記第１表示に対する前記端末のユーザによる入力に基づいて、前記トークルームとは異なる画面に前記通話情報を表示することとを含む。
【請求項１１】
第１端末にコンテンツの送信または、前記第１端末から送信されたコンテンツの受信を行う端末であって、
メモリに記憶されたプログラムを読み出し、前記プログラムに基づく処理を実行するプロセッサーを備え、
前記プロセッサーは、
前記端末のユーザと、前記第１端末のユーザとを含むトークルームを前記端末の表示領域に表示することと、
前記第１端末から送信された第１コンテンツと、前記端末の通信部によって前記第１端末に送信された第２コンテンツとを前記トークルームに表示することと、
前記第１コンテンツと前記第２コンテンツとを表示する前記トークルームに対する前記端末のユーザによる入力に基づいて、前記第１端末との通話に関する制御を行うことと、
前記第１端末のユーザの音声に基づく第１情報と、前記端末のユーザの音声に基づく第２情報とを前記第１端末との前記通話に基づき取得することと、
前記第１情報と前記第２情報とを含む通話情報に関連付けられた第１表示を前記トークルームに表示することと、
前記第１表示に対する前記端末のユーザによる入力に基づいて、前記トークルームとは異なる画面に前記通話情報を表示することとを実行する。
【手続補正２】
【補正対象書類名】明細書
【補正対象項目名】発明の名称
【補正方法】変更
【補正の内容】
【発明の名称】プログラム、情報処理方法、端末
【手続補正３】
【補正対象書類名】明細書
【補正対象項目名】０００４
【補正方法】変更
【補正の内容】
【０００４】
本発明の第１の態様によると、第１端末にコンテンツの送信または、第１端末から送信されたコンテンツの受信を行う端末によって実行されるプログラムは、端末のユーザと、第１端末のユーザとを含むトークルームを端末の表示領域に表示することと、第１端末から送信された第１コンテンツと、端末の通信部によって第１端末に送信された第２コンテンツとをトークルームに表示することと、第１コンテンツと第２コンテンツとを表示するトークルームに対する端末のユーザによる入力に基づいて、第１端末との通話に関する制御を端末の制御部によって行うことと、第１端末のユーザの音声に基づく第１情報と、端末のユーザの音声に基づく第２情報とを第１端末との通話に基づき制御部によって取得することと、第１情報と第２情報とを含む通話情報に関連付けられた第１表示をトークルームに表示することと、第１表示に対する端末のユーザによる入力に基づいて、トークルームとは異なる画面に通話情報を表示することとが端末によって実行される。
本発明の第２の態様によると、第１端末にコンテンツの送信または、第１端末から送信されたコンテンツの受信を行う端末の情報処理方法は、端末のユーザと、第１端末のユーザとを含むトークルームを端末の表示領域に表示することと、第１端末から送信された第１コンテンツと、端末の通信部によって第１端末に送信された第２コンテンツとをトークルームに表示することと、第１コンテンツと第２コンテンツとを表示するトークルームに対する端末のユーザによる入力に基づいて、第１端末との通話に関する制御を端末の制御部によって行うことと、第１端末のユーザの音声に基づく第１情報と、端末のユーザの音声に基づく第２情報とを第１端末との通話に基づき制御部によって取得することと、第１情報と第２情報とを含む通話情報に関連付けられた第１表示をトークルームに表示することと、第１表示に対する端末のユーザによる入力に基づいて、トークルームとは異なる画面に通話情報を表示することとを含む。
本発明の第３の態様によると、第１端末にコンテンツの送信または、第１端末から送信されたコンテンツの受信を行う端末は、メモリに記憶されたプログラムを読み出し、プログラムに基づく処理を実行するプロセッサーを備え、プロセッサーは、端末のユーザと、第１端末のユーザとを含むトークルームを端末の表示領域に表示することと、第１端末から送信された第１コンテンツと、端末の通信部によって第１端末に送信された第２コンテンツとをトークルームに表示することと、第１コンテンツと第２コンテンツとを表示するトークルームに対する端末のユーザによる入力に基づいて、第１端末との通話に関する制御を行うことと、第１端末のユーザの音声に基づく第１情報と、端末のユーザの音声に基づく第２情報とを第１端末との通話に基づき取得することと、第１情報と第２情報とを含む通話情報に関連付けられた第１表示をトークルームに表示することと、第１表示に対する端末のユーザによる入力に基づいて、トークルームとは異なる画面に通話情報を表示することとを実行する。